(57)【要約】  端子台（２）は，平らに形成された上面（２ａ）と，前記上面（２ａ）に形成された凹部（６）と，前記凹部（６）に設けられた複数の配線接続穴（５）と，を有する。前記上面（２ａ）には，前記配線接続穴（５）に対応する配線表示部（３）が設けられている。前記凹部（６）は、配線グループ毎に複数設けられている。前記配線接続穴（５）に隣接させてボタン穴（４ａ）を設け，該ボタン穴（４ａ）内に，前記配線接続穴（５）の底部に配置した配線接続金具を開閉する開閉ボタン（４）を収容した。前記凹部（６）は、帯状の溝である。
2012077515.tif 000002
【特許請求の範囲】
【請求項１】
平らに形成された上面と、
前記上面に形成された凹部と、
前記凹部に設けられた複数の配線接続穴と、
を有することを特徴とする端子台。
【請求項２】
前記上面には、前記配線接続穴に対応する配線表示部が設けられていることを特徴とする請求項１に記載の端子台。
【請求項３】
前記凹部は、配線グループ毎に複数設けられていることを特徴とする請求項１に記載の端子台。
【請求項４】
前記配線接続穴に隣接させてボタン穴を設け、該ボタン穴内に、前記配線接続穴の底部に配置した配線接続金具を開閉する開閉ボタンを収容したことを特徴とする請求項１に記載の端子台。
【請求項５】
前記凹部は、帯状の溝であることを特徴とする請求項１に記載の端子台。
【請求項６】
前記溝の底面は、該溝の幅方向に傾斜していることを特徴とする請求項１に記載の端子台。
【請求項７】
前記溝は、Ｖ字形溝であることを特徴とする請求項６に記載の端子台。
【請求項８】
前記溝は、台形溝であることを特徴とする請求項５に記載の端子台。
【請求項９】
請求項１〜８のいずれか１つに記載の端子台及び電子部品を実装した配線基板と、
前記配線基板を覆うケースと、
を備えることを特徴とする電子機器ユニット。
【請求項１０】
前記端子台の底面に、前記配線基板に実装しきれない電子部品を実装したことを特徴とする請求項９に記載の電子機器ユニット。
【請求項１１】
前記ケースに通気孔を設けたことを特徴とする請求項９に記載の電子機器ユニット。
【発明の詳細な説明】
【技術分野】
【０００１】
本発明は、端子台、及び、端子台及び電子部品を実装した配線基板と、電子部品及び配線基板を覆うケースと、を備える電子機器ユニットに関する。
【背景技術】
【０００２】
従来、ケース先端に端子部と端子名称部を有する電子機器を複数個段積みし、それぞれの端子部と端子名称部が直上の電子機器によって遮られないように端子部、端子名称部をともにずらせ、その上面を露出させて積層した電子機器において、前記端子名称部の面を傾斜させ、この傾斜面に端子名称板を貼付けた電子機器の端子名称板取付け構造が開示されている（例えば、特許文献１参照）。
【先行技術文献】
【特許文献】
【０００３】
【特許文献１】実開平０２−０５０９７４号公報
【発明の概要】
【発明が解決しようとする課題】
【０００４】
しかしながら、上記従来の技術によれば、端子名称部の面を傾斜させ、この傾斜面に端子名称板を貼付けている。また、端子名称部の面に垂直に、端子部及び端子部間を仕切る仕切板が突出している。そのため、突出した端子部及び仕切板が邪魔をして、端子名称を端子名称部に印刷（シルク印刷）することができず、端子名称板を貼付するしかなく、端子名称板の製作費と貼付作業がコストアップを招いている、という問題があった。【０００５】
本発明は、上記に鑑みてなされたものであって、端子台の配線表示部（端子名称部）に配線名称を印刷することができる端子台及び電子機器ユニットを得ることを目的とする。
【課題を解決するための手段】
【０００６】
上述した課題を解決し、目的を達成するために、本発明は、平らに形成された上面と、前記上面に形成された凹部と、前記凹部に設けられた複数の配線接続穴と、を有することを特徴とする。
【発明の効果】
【０００７】
本発明にかかる端子台は、該端子台の平らな上面に、各配線接続穴に対応する各配線表示部を印刷することができるので、コストを低減することができる、という効果を奏する。
【図面の簡単な説明】
【０００８】
【図１】図１は、本発明に係る電子機器ユニットの実施の形態１を示す斜視図である。
【図２】図２は、実施の形態１の電子機器ユニットの端子台上面を示す斜視図である。
【図３】図３は、実施の形態１の電子機器ユニットの端子台上面を示す上面図である。
【図４】図４は、図３のＡ−Ａ線に沿う断面図である。
【図５】図５は、本発明に係る電子機器ユニットの実施の形態２を示す斜視図である。
【図６】図６は、本発明に係る電子機器ユニットの実施の形態３の端子台を示す断面図である。
【図７】図７は、本発明に係る電子機器ユニットの実施の形態４の端子台を示す断面図である。
【図８】図８は、本発明に係る電子機器ユニットの実施の形態５の端子台を示す斜視図である。
【図９】図９は、本発明に係る電子機器ユニットの実施の形態６の端子台を示す斜視図である。
【発明を実施するための形態】
【０００９】
以下に、本発明にかかる端子台及び電子機器ユニットの実施の形態を図面に基づいて詳細に説明する。なお、この実施の形態によりこの発明が限定されるものではない。
【００１０】
実施の形態１．
図１は、本発明に係る電子機器ユニットの実施の形態１を示す斜視図であり、図２は、実施の形態１の電子機器ユニットの端子台上面を示す斜視図であり、図３は、実施の形態１の電子機器ユニットの端子台上面を示す上面図であり、図４は、図３のＡ−Ａ線に沿う断面図である。
【００１１】
実施の形態１の電子機器ユニット９１は、電子部品（図示せず）及び矩形盤状の端子台２を実装した配線基板（図示せず）と、前記電子部品及び配線基板を覆う直方体箱状のケース１と、を備えている。
【００１２】
端子台２の上面２ａは、突起物等が無く、平らに形成されている。端子台２の上面２ａには、端子台２に接続する配線グループ毎の、凹部としての帯状の溝６が形成されている。凹部としての溝６は、３つの配線グループ用に、３本形成されている。
【００１３】
各溝６内には、底部に配線接続金具５ａを配置した複数の配線接続穴５が設けられている。配線接続金具５ａは、絶縁被覆が剥がされた配線の導線を挟み込み、配線と電子機器ユニット９１とを電気的に接続する。１本の溝６内に設けられた複数の配線接続穴５には、同一グループの配線が接続される。同一グループの配線を１本の溝６内に設けられた配線接続穴５に接続するようにしたので、誤配線を防止することができる。
【００１４】
各配線接続穴５に隣接して、矩形のボタン穴４ａが設けられている。ボタン穴４ａには、押圧操作により配線接続金具５ａを開いて配線を外すための開閉ボタン４が収容されている。
【００１５】
配線接続穴５とボタン穴４ａとは、一部重複するように形成され、重複部は矩形の連通口４ｂとなっている。配線接続穴５とボタン穴４ａとの間のエッジ部７は、開閉ボタン４が配線接続穴５に倒れ込まないように開閉ボタン４を支えている。端子台２の平らな上面２ａの各ボタン穴４ａ近傍には、各配線接続穴５に対応する各配線表示部３の列が、帯状の溝６と平行に設けられている。
【００１６】
帯状の溝６の底面は、ボタン穴４ａから遠ざかる方向の幅方向に下り勾配となる傾斜面となっている。溝６のボタン穴４ａから遠い縁部は、段部８となっている。溝６のボタン穴４ａに近い縁部は、端子台２の上面２ａに連続している。溝６に、傾斜面や段部８を設けることにより、溝６を引き立たせることができ、誤配線の防止に役立つ。
【００１７】
配線接続穴５を帯状の溝６内に設け、開閉ボタン４をボタン穴４ａ内に収容したので、端子台２の上面２ａから突出するものが無く、端子台２の平らな上面２ａに設けられた全ての配線表示部３の端子名称を、１回の印刷（シルク印刷）で印刷することができる。
【００１８】
実施の形態２．
図５は、本発明に係る電子機器ユニットの実施の形態２を示す斜視図である。実施の形態２の電子機器ユニット９２は、実施の形態１の電子機器ユニット９１の端子台２と同等の端子台２を備えている。実施の形態２の電子機器ユニット９２は、端子台２の底面に配線基板１１に実装しきれない電子部品（図示せず）を実装し、ケース２１に複数の通気孔１０を設けている。
【００１９】
実施の形態２の電子機器ユニット９２によれば、配線基板１１の数を増やしたり、電子機器ユニット９２のサイズを大きくすることなく、電子機器ユニット９２の機能の多様化に伴う多数の電子部品を実装することができる。また、ケース２１に複数の通気孔１０を設けたので、放熱性に優れている。
【００２０】
実施の形態３．
図６は、本発明に係る電子機器ユニットの実施の形態３の端子台を示す断面図である。図６に示すように、実施の形態３の端子台３２の上面２ａは、突起物等が無く、平らに形成されている。端子台３２の上面２ａには、端子台３２に接続する配線グループ毎の帯状の溝（凹部）３６が形成されている。帯状の溝３６は、幅方向中央に向かって下り勾配となるＶ字形溝となっている。
【００２１】
実施の形態３の端子台３２は、溝（凹部）３６の形状以外は実施の形態１の端子台２と異なるところはない。溝３６を、Ｖ字形溝とすることにより、溝３６を引き立たせて誤配線を防止すると共に、配線の導線を配線接続穴５に差込むときに、Ｖ字形傾斜面が導線の先端を配線接続穴５に導くようにガイドするので、配線接続の作業性が向上する。
【００２２】
実施の形態４．
図７は、本発明に係る電子機器ユニットの実施の形態４の端子台を示す断面図である。図７に示すように、実施の形態４の端子台４２の上面２ａは、突起物等が無く、平らに形成されている。端子台４２の上面２ａには、端子台４２に接続する配線グループ毎の帯状の溝（凹部）４６が形成されている。帯状の溝４６は、断面が台形であり、配線接続穴５が設けられる底面４６ａと、底面４６ａの両側の傾斜面４６ｂと、を有している。
【００２３】
実施の形態４の端子台４２は、溝（凹部）４６の形状以外は実施の形態１の端子台２と異なるところはない。溝４６に、傾斜面４６ｂを設けることにより、溝４６を引き立たせて誤配線を防止すると共に、配線の導線を配線接続穴５に差込むときに、傾斜面４６ｂが導線の先端を配線接続穴５に導くようにガイドするので、配線接続の作業性が向上する。
【００２４】
実施の形態５．
図８は、本発明に係る電子機器ユニットの実施の形態５の端子台を示す斜視図である。図８に示すように、実施の形態５の端子台５２は、３つの配線グループ用に、第１、第２、第３の領域８１、８２、８３を有している。
【００２５】
第１、第２の領域８１、８２においては、端子台５２の上面２ａは、突起物等が無く、平らに形成されている。第１の領域８１においては、第１の配線グループのための帯状の凹部としての溝５６が形成されている。溝５６の底面は、上面２ａと平行面である。
【００２６】
溝５６の底面には、底部に配線接続金具５ａ（図３参照）を配置した複数の配線接続穴５が設けられている。溝５６内に設けられた複数の配線接続穴５には、第１の配線グループの配線が接続される。第１の配線グループの配線を１本の溝５６内に設けられた配線接続穴５に接続するようにしたので、誤配線を防止することができる。
【００２７】
各配線接続穴５に隣接して、矩形のボタン穴４ａが設けられている。ボタン穴４ａには、押圧操作により配線接続金具５ａを開いて配線を外すための開閉ボタン４が収容されている。第１の領域８１の各ボタン穴４ａ近傍の上面２ａには、各配線接続穴５に対応する各配線表示部３が設けられている。
【００２８】
第１の領域８１においては、配線接続穴５を溝５６内に設け、開閉ボタン４をボタン穴４ａ内に収容したので、上面２ａから突出するものが無く、第１の領域８１の上面２ａに設けられた全ての配線表示部３の端子名称を、１回の印刷（シルク印刷）で印刷することができる。
【００２９】
第２の領域８２においては、端子台５２の上面２ａは、突起物等が無く、平らに形成されている。第２の領域８２においては、第２の配線グループのための凹部（溝）は設けられていない。
【００３０】
第２の領域８２の上面２ａには、底部に配線接続金具５ａ（図３参照）を配置した複数の配線接続穴５が設けられている。第２の領域８２の複数の配線接続穴５には、第２の配線グループの配線が接続される。
【００３１】
第２の領域８２においては、配線接続穴５及びボタン穴４ａを上面２ａに設けているが、上面２ａから突出するものが無く、第２の領域８２の平らな上面２ａに設けられた全ての配線表示部３の端子名称を、１回の印刷（シルク印刷）で印刷することができる。
【００３２】
第３の領域８３は、第１、第２の領域８１、８２に設けられている上面２ａを有していない。第３の領域８３においては、第３の配線グループのための帯状の凹部としての溝５６ａが形成されている。溝５６ａの底面は、第１、第２の領域８１、８２の上面２ａと平行面である。
【００３３】
溝５６ａの底面には、底部に配線接続金具５ａ（図３参照）を配置した複数の配線接続穴５、ボタン穴４ａ及び配線表示部３が設けられている。溝５６ａ内に設けられた複数の配線接続穴５には、第３の配線グループの配線が接続される。第３の配線グループの配線を１本の溝５６ａ内に設けられた配線接続穴５に接続するようにしたので、誤配線を防止することができる。
【００３４】
また、第２の領域８２は、第１、第３の領域８１、８３の溝５６、５６ａに挟まれているので、第１、第３の領域８１、８３と区別することができ、第２の配線グループの誤配線も防止することができる。
【００３５】
第３の領域８３においては、配線表示部３が溝５６ａの底面に設けられているので、配線表示部３の端子名称を、第１、第２の領域８１、８２の配線表示部３の端子名称の印刷と同時に行なうことはできず、別工程で印刷しなければならない。
【００３６】
実施の形態６．
図９は、本発明に係る電子機器ユニットの実施の形態６の端子台を示す斜視図である。図９に示すように、実施の形態６の端子台６２は、３つの配線グループ用に、第１、第２、第３の領域７１、７２、７３を有している。
【００３７】
第１、第２、第３の領域７１、７２、７３において、端子台６２の上面２ａは、突起物等が無く、平らに形成されている。第１の領域７１においては、第１の配線グループのための帯状の凹部としての溝６６が形成されている。溝６６の底面は、上面２ａと平行面である。
【００３８】
溝６６の底面には、底部に配線接続金具５ａ（図３参照）を配置した複数の配線接続穴５が設けられている。溝６６内に設けられた複数（４つ）の配線接続穴５には、第１の配線グループの配線が接続される。第１の配線グループの配線を１本の溝６６内に設けられた配線接続穴５に接続するようにしたので、誤配線を防止することができる。
【００３９】
各配線接続穴５に隣接して、矩形のボタン穴４ａが設けられている。ボタン穴４ａには、押圧操作により配線接続金具５ａを開いて配線を外すための開閉ボタン４が収容されている。第１の領域７１の平らな上面２ａの各ボタン穴４ａ近傍には、各配線接続穴５に対応する各配線表示部３が設けられている。
【００４０】
第２の領域７２は、第３の領域７３を挟んで２箇所に分かれている。第２の領域７２においては、第２の配線グループのための凹部（溝）は設けられていない。第２の領域７２の上面２ａには、底部に配線接続金具５ａ（図３参照）を配置した複数（２つ）の配線接続穴５が設けられている。第２の領域７２の複数の配線接続穴５には、第２の配線グループの配線が接続される。
【００４１】
第３の領域７３においては、第３の配線グループのための帯状の凹部としての溝６６ａが形成されている。溝６６ａの底面は、上面２ａと平行面である。溝６６ａ内中央部には、溝６６ａより１段低い深溝６６ｂが形成されている。
【００４２】
溝６６ａ及び深溝６６ｂの底面には、底部に配線接続金具５ａ（図３参照）を配置した夫々２つの配線接続穴５が設けられている。溝６６ａ内に設けられた２つの配線接続穴５には、第３の配線グループの配線が接続され、深溝６６ｂ内に設けられた２つの配線接続穴５には、第３の配線グループの中のサブグループの配線が接続される。第３の配線グループ及びそのサブグループの配線を夫々溝６６ａ及び深溝６６ｂ内に設けられた配線接続穴５に接続するようにしたので、誤配線を防止することができる。
【００４３】
第３の領域７３の各配線接続穴５に隣接して、矩形のボタン穴４ａが設けられている。ボタン穴４ａには、押圧操作により配線接続金具５ａを開いて配線を外すための開閉ボタン４が収容されている。第３の領域７３の平らな上面２ａの各ボタン穴４ａ近傍には、各配線接続穴５に対応する各配線表示部３が設けられている。
【００４４】
第２の領域７２は、凹部（溝）が設けられていないので、第１、第３の領域７１、７３と区別することができ、第２の配線グループの誤配線も防止することができる。また、第１、第２、第３の領域７１、７２、７３は、単一の平らな上面２ａを共有し、突起物等が無いので、配線表示部３の端子名称を、１回の印刷（シルク印刷）で印刷することができる。
【産業上の利用可能性】
【００４５】
以上のように、本発明の端子台及び電子機器ユニットは、多数の配線が接続される端子台及び電子機器ユニットに適している。
【符号の説明】
【００４６】
１、２１  ケース
２、３２、４２、５２、６２  端子台
２ａ  上面
３  配線表示部
４  開閉ボタン
４ａ  ボタン穴
４ｂ  連通口
５  配線接続穴
５ａ  配線接続金具
６、３６、４６、５６、５６ａ、６６、６６ａ  溝（凹部）
６６ｂ  深溝
７  エッジ部
８  段部
１０  通気孔
１１  配線基板
７１、８１  第１の領域
７２、８２  第２の領域
７３、８３  第３の領域
９１、９２  電子機器ユニット
【図１】
2012077515.tif 000003
【図２】
2012077515.tif 000004
【図３】
2012077515.tif 000005
【図４】
2012077515.tif 000006
【図５】
2012077515.tif 000007
【図６】
2012077515.tif 000008
【図７】
2012077515.tif 000009
【図８】
2012077515.tif 000010
【図９】
2012077515.tif 000011
【国際調査報告】
2012077515.tif 000012
2012077515.tif 000013
2012077515.tif 000014
2012077515.tif 000015